(57)【要約】  本発明は、メディア資産リポジトリによって保持される少なくとも１つのメディア資産を管理するためのメディア資産管理システムに関する。このシステムは、少なくとも１つのメディア資産を保持するためのメディア資産リポジトリと、さらにメディア資産リポジトリにアクセスするように構成されたユーザ端末とを備え、このリポジトリは、通信リンクを介してユーザ端末に結合される。メディア資産管理システムは、ユーザ端末によってメディア資産を管理するときに、メディア資産上の前記ユーザ端末でのユーザのフィードバックを検出するように構成されたメディア資産フィードバック検出部と、メディア資産上のフィードバックの解釈／分析に基づいて管理されるメディア資産に対する注釈を決定するように構成されたフィードバック解釈部とをさらに備える。
2014501985.tif 000002
【特許請求の範囲】
【請求項１】
メディア資産リポジトリによって保持される少なくとも１つのメディア資産を管理するためのメディア資産管理システムであって、前記システムが、少なくとも１つのメディア資産を保持するための前記メディア資産リポジトリと、前記メディア資産リポジトリにアクセスするように構成されたユーザ端末（ＵＴ）とを備え、前記リポジトリが通信リンクを介して前記ユーザ端末に結合されるメディア資産管理システムにおいて、前記メディア資産管理システムが、
ａ．前記ユーザ端末（ＵＴ）によって前記メディア資産を管理するときに、前記メディア資産上の前記ユーザ端末（ＵＴ）でのユーザのフィードバックを検出するように構成されたメディア資産フィードバック検出部（ＦＤＰ）と、
ｂ．前記メディア資産上の前記フィードバックの解釈／分析に基づいて管理される前記メディア資産に対する注釈を決定するように構成されたフィードバック解釈部（ＦＩＰ）とをさらに備えることを特徴とする、メディア資産管理システム。
【請求項２】
前記メディア資産管理システムが、ｃ．前記フィードバックに基づいて管理される前記メディア資産に注釈付けするように構成されたメディア資産注釈付加部（ＭＡＡＰ）をさらに備えることを特徴とする、請求項１に記載のメディア資産管理システム。
【請求項３】
前記メディア資産フィードバック検出部（ＦＤＰ）が、センサによって前記ユーザ端末（ＵＴ）での前記ユーザのフィードバックを検出するように構成されることを特徴とする、請求項１または２に記載のメディア資産管理システム。
【請求項４】
メディア資産リポジトリによって保持される少なくとも１つのメディア資産のメディア資産管理のための方法であって、前記システムが、少なくとも１つのメディア資産を保持するための前記メディア資産リポジトリと、前記メディア資産リポジトリを管理するように構成されたユーザ端末（ＵＴ）とを備え、前記リポジトリが通信リンクを介して前記ユーザ端末に結合されるメディア資産管理方法において、前記メディア資産管理方法が、
ａ．メディア資産フィードバック検出部（ＦＤＰ）が、前記ユーザ端末（ＵＴ）によって前記メディア資産を管理するときに、前記メディア資産上の前記ユーザ端末（ＵＴ）でのユーザのフィードバックを検出するステップと、
ｂ．フィードバック解釈部（ＦＩＰ）が、前記メディア資産上の前記フィードバックの解釈／分析に基づいて管理される前記メディア資産に対する注釈を決定するステップとを含むことを特徴とする、方法。
【請求項５】
メディア資産リポジトリ（ＭＡＲ）によって保持される少なくとも１つのメディア資産の管理をサポートするためのユーザ端末（ＵＴ）であって、前記ユーザ端末（ＵＴ）が前記メディア資産リポジトリを管理するように構成され、前記リポジトリが通信リンクを介して前記ユーザ端末に結合されるユーザ端末（ＵＴ）において、前記ユーザ端末（ＵＴ）が、
ａ．前記ユーザ端末（ＵＴ）によって前記メディア資産を管理するときに、前記メディア資産上の前記ユーザ端末（ＵＴ）でのユーザのフィードバックを検出するように構成されたメディア資産フィードバック検出部（ＦＤＰ）と、
ｂ．前記メディア資産上の前記フィードバックの解釈／分析に基づいて管理する前記メディア資産に対する注釈を決定するように構成されたフィードバック解釈部（ＦＩＰ）とをさらに備えることを特徴とする、ユーザ端末（ＵＴ）。
【請求項６】
前記ユーザ端末（ＵＴ）が、
ｃ．前記フィードバックに基づいて管理される前記メディア資産に注釈付けするようにさらに構成されたメディア資産管理部（ＭＰ）をさらに備えることを特徴とする、請求項５に記載のユーザ端末（ＵＴ）。
【請求項７】
前記メディア資産フィードバック検出部（ＭＡＦＤＰ）が、センサによって前記ユーザ端末（ＵＴ）での前記ユーザのフィードバックを検出するように構成されることを特徴とする、請求項５または６に記載のユーザ端末（ＵＴ）。
【請求項８】
請求項１に記載の通信システムで使用するためのネットワーク要素において、前記ネットワーク要素が、
ａ．前記ユーザ端末（ＵＴ）によって前記メディア資産を管理するときに、前記メディア資産上の前記ユーザ端末（ＵＴ）でのユーザのフィードバックを検出するように構成されたメディア資産フィードバック検出部（ＦＤＰ）と、
ｂ．前記メディア資産上の前記フィードバックの解釈／分析に基づいて管理する前記メディア資産に対する注釈を決定するように構成されたフィードバック解釈部（ＦＩＰ）とを備えることを特徴とする、ネットワーク要素。
【発明の詳細な説明】
【技術分野】
【０００１】
本発明は、請求項１のプリアンブルによるメディア資産管理システム、請求項４のプリアンブルによるメディア資産管理方法、請求項５のプリアンブルによる関連するユーザ端末に関する。
【背景技術】
【０００２】
そのようなメディア資産管理システムは、当技術分野でよく知られている。そのような管理システムでは、人々はメディア資産にアクセスする、たとえば利用可能なメディア資産を取り出す、または新しいメディア資産を保存もしくはアップロードすることができる。そのようなシステムでは、そのようなシステムの中で現在利用可能な、またはそのシステムに保存されているメディア資産により文脈的な情報を提供するために、（画像、ビデオ資産、オーディオなど）のいずれかであるメディア資産にメタデータを添付することも可能である。たとえば、画像をＦｌｉｃｋｒウェブサイトにアップロードする場合、追加のメタデータを提供するように求められる。しかしながら、誰もが画像またはビデオに追加情報の注釈付けをするために進んで時間を費やすわけではない。また、人々にそれらの追加情報を定期的に更新するように求めることはさらに難しい。たとえばＹｏｕＴｕｂｅ（登録商標）などからいくつかの画像またはビデオを見る、またはレビューする場合、コメントがメディアの制作者または所有者によって歓迎される可能性があるが、常に自分のコメントを書き込むという意図を持っているわけではない。
【発明の概要】
【発明が解決しようとする課題】
【０００３】
本発明の目的は、上記の知られているタイプのメディア資産管理システムであるが、メディア資産の注釈付けが容易になり、労力が少なくて済むという点で改善されたメディア資産管理システムを提供することである。
【課題を解決するための手段】
【０００４】
本発明によれば、この目的は、請求項１に記載するシステム、請求項４に記載するメディア資産管理方法、請求項５に記載する関連するユーザ端末、および請求項８に記載する関連するネットワーク要素によって達成される。
【０００５】
実際には、ユーザ端末によってメディア資産を管理するとき、すなわち資産を保存するとき、資産を開くとき、メディア資産を変更するときなどに、メディア資産上のユーザのフィードバックを検出し、その後、メディア資産上のフィードバックの解釈／分析に基づいて管理されるメディア資産に対する注釈を決定するように構成されたメディア資産フィードバック検出部を適用することによる。
【０００６】
メディア資産を管理することは、それぞれメディア資産リポジトリで／メディア資産リポジトリから、メディア資産にアクセスすること、メディア資産を取り出すこと、メディア資産を変更すること、またはメディア資産リポジトリでメディア資産を保存もしくはアップロードすることを含む。
【０００７】
メディア資産フィードバック検出部ＦＤＰは、ビデオなどの管理される、たとえばアクセスまたは保存されるメディア資産を分析し、ウェブカメラを介してユーザの挙動および表情、ならびにユーザが作り出す音を検出し、場合によってはキャプチャもする。このユーザの挙動および表情は、たとえば喜び、怒りなどの視聴者の感情、たとえばうなずき−＞同意などのユーザのボディランゲージ、および「格好いい！」という発話コメント、血圧、皮膚抵抗などの物理的な身体特性を含んでもよく、またはそれらを表現してもよい。
【０００８】
その後、検出された視聴者の感情、ボディランゲージおよび発話活動は、事前定義またはカスタマイズされたルールに基づいて、コメントおよび意見に解釈および変換される。解釈および変換のために、リレーショナルデータベースならびにより高度なオントロジーデータベースは、それらのルールを保存するために適用され得る。生成されたコメントまたは意見である注釈は、対象メディア資産の実際の注釈のために適用され得る。
【０００９】
本発明の別の特徴的な実施形態は請求項２に記載されている。
【００１０】
さらに、このシステムは、メディア資産にアクセスするユーザのフィードバックに基づいてアクセスされたメディア資産に注釈付けすることができるメディア資産注釈付加部を含む。注釈付けすることは、決定された注釈をアクセスされたメディア資産に追加することであり、このことは、決定された注釈が決定されたコメントおよび意見を含むメディア資産リポジトリの中に少なくとも決定された注釈をアクセスされたメディア資産とともに保存するために、決定された注釈を直接メディア資産リポジトリに転送するか、または代替的に、メディア資産サーバを介して間接的にメディア資産リポジトリに向けて転送することによって実行されてもよい。
【００１１】
本発明の別の特徴的な実施形態は請求項３に記載されている。
【００１２】
メディア資産フィードバック検出部は、センサによって前記ユーザ端末でユーザのフィードバックを検出するように構成されている。
【００１３】
そのようなセンサは、感情、ジェスチャなどの視聴者のフィードバックを記録もしくは検出するカメラ、拍手などの音声フィードバックもしくは他のオーディオフィードバックを記録もしくは検出するためのユーザ端末のマイク、血圧、皮膚抵抗、心拍などの身体特性を決定するためのセンサ、または温度、光条件などの環境状況を決定するためのセンサであってもよい。
【００１４】
このメディア資産管理システムのさらに特徴的な実施形態は、添付の実施形態の中で述べられている。
【００１５】
特許請求の範囲の中で使用される「備える」という言い回しは、後に挙げる手段に限定されるものとして解釈されるべきではないことに留意されたい。したがって、「手段Ａと手段Ｂとを備えるデバイス」という表現の範囲は、構成要素Ａと構成要素Ｂだけからなるデバイスに限定されるべきではない。本発明に関しては、その表現の範囲は、単にデバイスの関連する構成要素がＡとＢであるということを意味する。
【００１６】
同様に、同じく特許請求の範囲の中で使用される「結合された」という言い回しは、直接接続だけに限定されるものとして解釈されるべきではないことに留意されたい。したがって、「デバイスＢに結合されたデバイスＡ」という表現の範囲は、デバイスＡの出力がデバイスＢの入力に直接接続されるデバイスまたはシステムに限定されるべきではない。その表現の範囲は、他のデバイスまたは手段を含む経路であってもよいＡの出力とＢの入力との間の経路が存在するということを意味する。
【００１７】
添付の図面と併せて以下の実施形態の説明を参照することによって、上記および他の本発明の目的および特徴はより明らかになり、本発明自体が最もよく理解される。
【図面の簡単な説明】
【００１８】
【図１】通信デバイスであるユーザ端末と、メディア資産リポジトリＭＡＲと、メディア資産リポジトリＭＡＲを制御するためのメディアサーバＭＳとを含む本発明によるメディア資産管理システムを表す図である。
【発明を実施するための形態】
【００１９】
以下の段落では、図１の図面を参照して、本システムの実施形態が説明される。第２の段落では、上記の要素の間のすべての接続が定義される。
【００２０】
続いて、図１に示すような上記のシステムのすべての関連する機能的手段が説明され、すべての相互接続の説明が後に続く。後続の段落では、本通信システムの実際の実行が説明される。
【００２１】
メディア資産リポジトリによって保持される少なくとも１つのメディア資産を管理するためのメディア資産管理システムの第１の必須要素は、少なくとも１つのメディア資産を保持するためのメディア資産リポジトリＭＡＲである。このメディア資産リポジトリＭＡＲは、メディアサーバＭＳの制御下にある。そのようなメディア資産リポジトリＭＡＲは、中央データベースまたは複数の分散データベース要素として実施されているクラウドの中に配置されたメディア資産データベースであってもよい。代替的に、そのようなデータベースは、ユーザ端末ＵＴの中で実施されているか、または短距離通信リンクを介して結合されたローカルデータベースであってもよい。
【００２２】
さらに、メディアサーバを介してメディア資産リポジトリを管理する、すなわちそれにアクセスするように構成されたユーザ端末ＵＴが存在する。そのようなユーザ端末ＵＴは、メディア資産リポジトリへのアクセスを有するためのインターネット接続性を有するパーソナルコンピュータ、モバイル通信デバイスであってもよく、またはメディア資産を取り出し、ユーザに提示することができる、もしくはメディア資産リポジトリＭＡＲの中にメディア資産を保存する任意の他の通信デバイスであってもよい。
【００２３】
メディア資産リポジトリＭＡＲはインターネットプロトコルネットワーク、アクセスネットワーク、それらの組み合わせ、または任意の他の固定もしくはモバイル通信ネットワークなどの通信ネットワークＣＮによってサポートされる通信リンクを介して、メディアサーバＭＳに結合され、次にユーザ端末ＵＴに結合される。
【００２４】
ユーザ端末ＵＴは最初に、メディア資産リポジトリＭＡＲの中で保持される少なくとも１つのメディア資産を管理するように構成されたメディア資産管理部ＭＰを備え、管理することは、たとえば、リポジトリからメディア資産を取り出すこと、または新しいメディア資産をメディア資産リポジトリＭＡＲの中に保存することを含んでもよい。さらに、メディア資産をユーザ端末ＵＴのユーザに提示することができる提示部ＰＰが存在し、この提示部は、資産の潜在的なオーディオおよびビデオ部を再生するためのスピーカを備えたユーザ端末のディスプレイであってもよく、またはスピーカを備えた、もしくはスピーカを備えていない外部ディスプレイであってもよい。
【００２５】
ユーザ端末ＵＴは、リポジトリそのようなメディア資産にアクセスするとき、またはそのようなメディア資産を見る、および／または聞くときに、ユーザ端末ＵＴによってメディア資産をメディア資産リポジトリＭＡＲの中に保存する前に、メディア資産上のユーザ端末ＵＴでのユーザのフィードバックを検出するように構成されたメディア資産フィードバック検出部ＦＤＰと、このメディア資産上のユーザのフィードバックの解釈／分析に基づいて管理されるメディア資産に対する注釈を決定するように構成されたフィードバック解釈部ＦＩＰとをさらに備える。
【００２６】
ユーザ端末ＵＴの管理部は追加として、ユーザのフィードバックに基づいて管理されるメディア資産に注釈付するようにさらに構成される。
【００２７】
メディア資産フィードバック検出部ＦＤＰは、視聴者のフィードバックを記録もしくは検出するカメラ、拍手などの音声フィードバックもしくは他のオーディオフィードバックを記録もしくは検出するためのユーザ端末のマイク、血圧、皮膚抵抗、心拍などの身体特性を決定するためのセンサ、または温度、光条件などの環境状況を決定するためのセンサであってもよいセンサによって、ユーザ端末ＵＴでのユーザのフィードバック、および場合によってはその人の環境を検出するように構成される。
【００２８】
メディア資産管理部ＭＰは、同時にユーザ端末ＵＴの入力／出力端子である入力／出力端子を有する。メディア資産管理部ＭＰはさらにメディア資産提示部ＰＰに結合され、その上メディア資産フィードバック検出部ＦＤＰに結合される。メディア資産フィードバック検出部ＦＤＰはさらにフィードバック解釈部ＦＩＰの入力に対する出力に結合され、次いでフィードバック解釈部ＦＩＰはメディア資産管理部ＭＰの入力に対する出力に結合される。
【００２９】
メディア資産フィードバック検出部ＦＤＰはさらに、センサＳＰの出力に対する入力に結合される。
【００３０】
メディア資産リポジトリＭＡＲはメディアサーバＭＳに結合され、メディアサーバＭＳは次いで、この実施形態ではアクセスネットワークと、結合されたインターネットプロトコルネットワークによってサポートされる通信リンクに結合され、この可能な結合ネットワークの集合は通信ネットワークＣＮと表される。
【００３１】
本発明を説明するために、ユーザは、たとえばＹｏｕＴｕｂｅなどのリポジトリの中に保存され、ユーザのパーソナルコンピュータＵＴで動作するウェブブラウザを使用してインターネットを介してアクセス可能な何らかのビデオ資産などのメディア資産を閲覧中であり、このウェブブラウザはメディア資産管理部ＭＡと提示部ＰＰのうちの少なくとも一部を実施してもよいと仮定する。ユーザは意図したビデオを見て、そのビデオを気に入り、非常に面白いと思って、大声で笑っている。ここでは、パーソナルコンピュータであるユーザ端末ＵＴに取り付けられたウェブカメラであるセンサＳＰ、およびパーソナルコンピュータＵＴに内蔵されたマイクは、すべての表現、すなわちユーザのボディランゲージ、ジェスチャを記録し、また大きな笑い声であり、何らかの叫び声であってもよいユーザが作り出している音も記録する。
【００３２】
メディア資産フィードバック検出部ＦＤＰは、このユーザのパーソナルコンピュータＵＴでのユーザのこのフィードバックを、パーソナルコンピュータＵＴで再生中のＹｏｕＴｕｂｅビデオ上で検出する。ユーザのボディランゲージ、ジェスチャ、および何らかの叫び声を伴う、または伴わない大きな笑い声であるすべてのこのフィードバックは、フィードバック解釈部ＦＩＰによって解釈され、フィードバック解釈部ＦＩＰはこれらに基づいて、たとえば「これが好き」というテキストであるか、またはユーザが言う「これが好き」という音声の注釈でもあるＹｏｕＴｕｂｅビデオの注釈を決定する。
【００３３】
この解釈は、ルールに基づいた推論によって実施され得る。フィードバック解釈を実現するために、Ｊｅｎａ、Ｐｒｏｔｅｇｅ、Ｄｒｏｏｌｓなどのルールエンジンが採用され得る。たとえば、ＦＤＰがユーザの笑顔を検出する場合、それは「それが好き」と変換され、メディアに対して注釈付される。ユーザが笑って、大声のオーディオ信号を生成し、踊っていることをＦＤＰが検出する場合、それは「すごい！」、「本当に格好いい！」、「大好き」と解釈される。ユーザは、自分の個人的なルールをカスタマイズすることができる。
【００３４】
フィードバック解釈部は、検出された視聴者の感情、ボディランゲージおよび発話活動を、事前に定義された、またはカスタマイズされたルールに基づいてコメントおよび意見に変換する役割を果たす。リレーショナルデータベースならびにより高度なオントロジーデータベースは、それらの規則を保存するために適用され得る。生成されたコメント／意見は、視聴しているメディアに戻って注釈付される。
【００３５】
続いて、注釈が決定されると、この注釈は、決定された注釈をＹｏｕＴｕｂｅビデオとともに保存するための要求を伴ってメディアサーバに送信されるので、同じビデオにアクセスする次のユーザはさらに追加された注釈を得るか、またはこの注釈へのアクセスすることもできる。
【００３６】
本発明の代替実施形態は、ユーザ端末の中に含まれているか、またはＵＳＢ、Ｂｌｕｅｔｏｏｔｈ（登録商標）、ＷｉＦｉ、ＮＦＣなどの短距離通信リンク、および任意のその他の同等の短距離通信手段を介してユーザ端末に結合されたローカルリポジトリを含み得る。
【００３７】
最後に、本発明の実施形態は、上記で機能ブロックに関して説明されているということを述べる。上記のこれらのブロックの機能的な説明から、電子デバイスを設計する当業者には、どのようにして、よく知られている電子部品を用いてこれらのブロックの実施形態を製造することができるのかが明らかであろう。したがって、機能ブロックの内容の詳細な構造は示していない。
【００３８】
上記では、特定の装置に関して本発明の原理が説明されているが、この説明は、添付の特許請求の範囲の中で定義されるように、本発明の範囲に対する限定としてではなく、単に実施例として行われたものであることを明確に理解されたい。
【図１】
2014501985.tif 000003
【国際調査報告】
2014501985.tif 000004
2014501985.tif 000005